【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
組織を治療するための装置であって、
自身の中に治療デバイスを受容するように定寸および成形される内腔を画定する、シースと、
該シースに連結され、該シースの長手方向軸と実質的に平行に所定の距離だけ延在する、ガイド部材と、
該シースおよび該治療デバイスを安定化させるために、組織に連結される係留デバイスに係合する安定化装置要素であって、該安定化装置要素は該シースの長手方向軸と実質的に平行に、それに沿って移動するために該ガイド部材に移動可能に連結され、最近位位置にある時、該安定化装置要素は、ガイド部材の近位端から近位に配置される、安定化装置要素と
を備える、装置。
【請求項２】
前記ガイド部材は、
安定化装置トラックであって、該安定化装置トラックは、選択された距離だけ、前記安定化装置要素の表面に係合する支持鉤から遠位に延在し、それにより、該安定化装置要素が前記最近位位置にある時、該安定化装置トラックは、該ガイド部材上に搭載されるその長さの一部を十分に維持して、それにより、該支持鉤から該安定化装置要素に適用される力が、前記シースの望ましくない移動を防止する、安定化装置トラックと、
該トラック上に摺動可能に受容される細長レールであって、該細長レールは近位部分において前記安定化装置要素に連結される、細長レールと
を備える、請求項１に記載の装置。
【請求項３】
前記安定化装置要素および前記シースの相対的移動を所定の範囲内に制限する、完全停止装置をさらに備え、該完全停止装置は、該安定化装置トラック上の対応する表面不連続性を伴う、前記細長レール上の第１の表面不連続性を備え、該第１の表面不連続性は、該安定化装置要素から該シースに向かって突出する当接表面を含む、請求項２に記載の装置。
【請求項４】
前記安定化装置要素は、フィン形状、フック形状、および溝形状のうちの１つであることにより、該安定化装置要素は、クロスバー、指用ループ、および支持鉤の本体のうちの１つに係合するように成形される、請求項１に記載の装置。
【請求項５】
前記細長レールおよび前記安定化装置トラックのうちの少なくとも１つの上の低摩擦コーティングをさらに備える、請求項１に記載の装置。
【請求項６】
前記安定化装置要素は、ＡＢＳ、ポリエチレン、およびデルリンのうちの１つから形成される、請求項１に記載の装置。
【請求項７】
前記ガイド部材は、前記シースと一体的に形成される、請求項１に記載の装置。
【請求項８】
前記安定化装置要素は、前記ガイド部材に沿った複数の位置で係止可能であって、前記シースと相対的な該安定化装置要素の対応する複数の位置を画定し、該ガイド部材および該安定化装置要素は定寸され、それにより、該シースが体内の所望の位置にある時、該安定化装置要素は該ガイド部材に沿って位置付けられ得、支持鉤の一部に所望の張力を提供する、請求項１に記載の装置。
【請求項９】
前記シースの近位端においてハンドルに連結される、伸縮式スコープアダプタであって、該ハンドルは、該ハンドル内にそれぞれ形成される係止孔によって該スコープアダプタに選択的に係合する押下可能ボタンを備える、伸縮式スコープアダプタと、
該スコープアダプタの内側内腔の周囲に形成される係止リングであって、そこを通過する流体漏出を防止する、係止リングと
をさらに備える、請求項１に記載の装置。
【請求項１０】
体内の所望の位置にデバイスを維持するための装置であって、
有効構成において体腔内に挿入可能な遠位部分から、該有効構成において体腔外に残留する近位部分まで延在するシースと、
該シースに連結され、複数の当接表面を備え、それにより、該シースが該所望の位置にある時、該当接表面のうちの選択された１つが係止デバイスの表面に係合し、該当接表面のうちの該選択された１つは、該係止デバイスに所定の張力を適用し、体内に該シースを維持するように選択される、ガイド部材と
を備える、装置。
【請求項１１】
前記係止デバイスが最近位位置にある時、該係止デバイスは、前記ガイド部材の近位端から近位に配置される、請求項１０に記載の装置。
【請求項１２】
前記当接表面は、前記ガイド部材の面上に形成される、一連の歯を備える、請求項１０に記載の装置。
【請求項１３】
前記係止デバイスは、歯止め部材をさらに備え、前記ガイド部材の前記複数の当接表面の上方で歯止めで動き、該歯止め部材の遠位表面および前記歯は、該ガイド部材の長手方向軸と実質的に垂直に形成され、該ガイド部材上の該係止デバイスの遠位移動を防止する、請求項１２に記載の装置。
【請求項１４】
前記係止デバイスは、前記シースから遠位に延在し、クロスバーによってその長さに沿って結合されるアームを備え、該クロスバーは、（ｉ）前記複数の当接部分間の凹部に係合すること、および（ｉｉ）Ｖｅｌｃｒｏ取付具であって、該Ｖｅｌｃｒｏ取付具は、前記シースの一部上に形成されるＶｅｌｃｒｏストラップに係合する、Ｖｅｌｃｒｏ取付具を含むことのうちの１つによって、係止構成をとる、請求項１０に記載の装置。
【請求項１５】
前記当接表面は、前記シースから遠位に延在し、蝶番を介してそこに旋回可能に接続されるアームを備え、該アームの各々は、支持鉤安定化装置の指用ループを受容するように定寸および成形され、該シースは、該蝶番に隣接して該シース上に形成される締具を備え、該締具は選択的に前記アームを受容し係止構成に係止する、請求項９に記載の装置。
【手続補正２】
【補正対象書類名】明細書
【補正対象項目名】０００４
【補正方法】変更
【補正の内容】
【０００４】
（本発明の概要）
本願は、その中に治療デバイスを受容するように定寸および成形される内腔を画定する、シースを備える、組織を治療するための装置に関する。ガイド部材は、シースに連結され、シースの長手方向軸と実質的に平行に所定の距離だけ延在する。本発明の装置の係留デバイスに連結するための安定化装置要素は、組織に連結され、シースおよび治療デバイスを安定化させ、シースの長手方向軸と実質的に平行に、それに沿って移動するために、ガイド部材に移動可能に連結される、安定化要素であって、最近位位置にある時、安定化装置要素は、ガイド部材の近位端から近位に配置される。
例えば、本発明は以下の項目を提供する。
（項目１）
組織を治療するための装置であって、
自身の中に治療デバイスを受容するように定寸および成形される内腔を画定する、シースと、
該シースに連結され、該シースの長手方向軸と実質的に平行に所定の距離だけ延在する、ガイド部材と、
該シースおよび該治療デバイスを安定化させるために、組織に連結される係留デバイスに係合する安定化装置要素であって、該安定化装置要素は該シースの長手方向軸と実質的に平行に、それに沿って移動するために該ガイド部材に移動可能に連結され、最近位位置にある時、該安定化装置要素は、ガイド部材の近位端から近位に配置される、安定化装置要素と
を備える、装置。
（項目２）
上記ガイド部材は、
安定化装置トラックと、
該トラック上に摺動可能に受容される細長レールであって、該細長レールは近位部分において上記安定化装置要素に連結される、細長レールと
を備える、項目１に記載の装置。
（項目３）
上記安定化装置トラックは、選択された距離だけ、上記安定化装置要素の表面に係合する支持鉤から遠位に延在し、それにより、該安定化装置要素が上記最近位位置にある時、該安定化装置トラックは、上記ガイド部材上に搭載されるその長さの一部を十分に維持して、それにより、該支持鉤から該安定化装置要素に印加される力が、上記シースの望ましくない移動を防止する、項目２に記載の装置。
（項目４）
上記安定化装置要素および上記シースの相対的移動を所定の範囲内に制限する、完全停止装置をさらに備える、項目２に記載の装置。
（項目５）
上記完全停止装置は、上記安定化装置トラック上の対応する表面不連続性を伴う、上記細長レール上の第１の表面不連続性を備える、項目３に記載の装置。
（項目６）
上記第１の表面不連続性は、上記安定化装置要素から上記シースに向かって突出する、当接表面を含む、項目４に記載の装置。
（項目７）
上記安定化装置要素は、フィン形状、フック形状、および溝形状のうちの１つである、項目１に記載の装置。
（項目８）
上記安定化装置要素は、クロスバー、指用ループ、および支持鉤の本体のうちの１つに係合するように成形される、項目１に記載の装置。
（項目９）
上記細長レールおよび上記安定化装置トラックのうちの少なくとも１つの上の低摩擦コーティングをさらに備える、項目１に記載の装置。
（項目１０）
上記安定化装置要素は、ＡＢＳ、ポリエチレン、およびデルリンのうちの１つから形成される、項目１に記載の装置。
（項目１１）
上記ガイド部材は、上記シースと一体的に形成される、項目１に記載の装置。
（項目１２）
上記安定化装置要素は、上記ガイド部材に沿った複数の位置で係止可能であって、上記シースと相対的な該安定化装置要素の対応する複数の位置を画定する、項目１に記載の装置。
（項目１３）
上記ガイド部材および上記安定化装置要素は定寸され、それにより、上記シースが体内の所望の位置にある時、該安定化装置要素は該ガイド部材に沿って位置付けられ得、支持鉤の一部に所望の張力を提供する、項目１に記載の装置。
（項目１４）
上記シースの近位端においてハンドルに連結される、伸縮式スコープアダプタをさらに備え、該ハンドルは、該ハンドル内にそれぞれ形成される係止孔によって該スコープアダプタに選択的に係合する押下可能ボタンを備える、項目１に記載の装置。
（項目１５）
上記スコープアダプタの内側内腔の周囲に形成される係止リングをさらに備え、そこを通過する流体漏出を防止する、項目１４に記載の装置。
（項目１６）
体内の所望の位置にデバイスを維持するための装置であって、
有効構成において体腔内に挿入可能な遠位部分から、該有効構成において体腔外に残留する近位部分まで延在するシースと、
該シースに連結され、複数の当接表面を備え、それにより、該シースが該所望の位置にある時、該当接表面のうちの選択された１つが係止デバイスの表面に係合し、該当接表面のうちの該選択された１つは、該係止デバイスに所定の張力を印加し、体内に該シースを維持するように選択される、ガイド部材と
を備える、装置。
（項目１７）
上記係止デバイスが最近位位置にある時、該係止デバイスは、上記ガイド部材の近位端から近位に配置される、項目１４に記載の装置。
（項目１８）
上記当接表面は、上記ガイド部材の面上に形成される、一連の歯を備える、項目１４に記載の装置。
（項目１９）
上記係止デバイスは、歯止め部材をさらに備え、上記ガイド部材の上記複数の当接表面の上方で歯止めで動く、項目１４に記載の装置。
（項目２０）
上記歯止め部材の遠位表面および上記歯は、上記ガイド部材の長手方向軸と実質的に垂直に形成され、該ガイド部材上の上記係止デバイスの遠位移動を防止する、項目１９に記載の装置。
（項目２１）
上記係止デバイスは、上記シースから遠位に延在し、クロスバーによってその長さに沿って結合されるアームを備える、項目１４に記載の装置。
（項目２２）
上記クロスバーは、上記複数の当接部分間の凹部に係合し、係止構成をとる、項目２１に記載の装置。
（項目２３）
上記クロスバーは、Ｖｅｌｃｒｏ取付具を具備し、該Ｖｅｌｃｒｏ取付具は、上記シースの一部上に形成されるＶｅｌｃｒｏストラップに係合し、係止構成をとる、項目２１に記載の装置。
（項目２４）
上記当接表面は、上記シースから遠位に延在し、蝶番を介してそこに旋回可能に接続されるアームを備え、該アームの各々は、支持鉤安定化装置の指用ループを受容するように定寸および成形される、項目１４に記載の装置。
（項目２５）
上記蝶番に隣接して上記シース上に形成される締具をさらに備え、該締具は選択的に上記アームを受容し係止構成に係止する、項目２４に記載の装置。